(57)【要約】【課題】プリ発光動作を実行した場合において、目つぶり写真の発生を防止すること。【解決手段】プリ発光動作判定手段でプリ発光動作を実行しないと判定される場合にミラー駆動速度設定手段は第１の速度でミラー部材を駆動するように設定し、プリ発光動作判定手段でプリ発光動作を実行すると判定される場合にミラー駆動速度設定手段は第１の速度より高速な第２の速度でミラー部材を駆動するように設定する。【選択図】図４
2014228642.tif 000002
【特許請求の範囲】
【請求項１】
撮影の際に被写体を照らす本発光動作と前記本発光動作に先立って前記被写体を照らすプリ発光動作を実行可能な撮像装置であって、
ミラーダウン位置とミラーアップ位置との間を回動するミラー部材と、
前記ミラー部材の駆動速度を設定するミラー駆動速度設定手段と、
前記プリ発光動作を実行するかどうかを判定するプリ発光動作判定手段と、を有し、
前記プリ発光動作判定手段で前記プリ発光動作を実行しないと判定される場合に前記ミラー駆動速度設定手段は第１の速度で前記ミラー部材を駆動するように設定し、
前記プリ発光動作判定手段で前記プリ発光動作を実行すると判定される場合に前記ミラー駆動速度設定手段は前記第１の速度より高速な第２の速度で前記ミラー部材を駆動するように設定することを特徴とする撮像装置。
【請求項２】
被写体が人物であるかどうかを認識可能な被写体認識手段を更に有し、
前記被写体認識手段で前記被写体が人物であると認識される場合に、前記プリ発光動作判定手段は前記前記プリ発光動作を実行すると判定し、
前記被写体認識手段で前記被写体が人物でないと認識される場合に、前記プリ発光動作判定手段は前記前記プリ発光動作を実行しないと判定することを特徴とする請求項１に記載の撮像装置。
【請求項３】
被写体までの距離を算出可能な距離算出手段と、
前記距離算出手段によって算出された前記距離が所定値以下であるか判定する距離判定手段と、を更に有し、
前記距離判定手段で前記距離が前記所定値以下であると判定される場合に、前記プリ発光動作判定手段は前記前記プリ発光動作を実行すると判定し、
前記距離判定手段で前記距離が前記所定値以下でないと判定される場合に、前記プリ発光動作判定手段は前記前記プリ発光動作を実行しないと判定することを特徴とする請求項１または２に記載の撮像装置。
【発明の詳細な説明】
【技術分野】
【０００１】
本発明は、撮影の際に被写体を照らす本発光動作と本発光動作に先立って被写体を照らすプリ発光動作を実行可能な撮像装置に関する。
【背景技術】
【０００２】
撮像装置のうち一眼レフカメラには、撮像光学系からの光路に対して出入りする（すなわち、アップ動作およびダウン動作する）、いわゆるクイックリターンミラー（以下、単にミラーという）が設けられている。
【０００３】
特許文献１では、ミラーの駆動速度を変更することで、動作モードとして通常モードとサイレントモードに切り替え可能な撮像装置が開示されている。この撮像装置では、サイレントモード時に通常モードよりもミラーを低速で駆動することで、駆動音や衝撃の低減を図っている。
【先行技術文献】
【特許文献】
【０００４】
【特許文献１】特開２００８−１７５９２０号公報
【発明の概要】
【発明が解決しようとする課題】
【０００５】
しかしながら、特許文献１にて開示された撮像装置では、サイレントモード時にミラーを低速で駆動するため、レリーズ時のタイムラグが長くなる。例えば、フラッシュ撮影時にプリ発光動作を行うタイプのフラッシュ手段を用いた撮影においては、プリ発光動作と本発光動作の間の間隔が長くなる。そのため、被写体が撮影前のプリ発光動作を撮影と間違って反射的に目をつぶり、目つぶり写真になってしまうことが多くあった。
【０００６】
このような課題を鑑みて、本発明は、サイレントモードでのフラッシュ撮影において、目つぶり写真の発生を防止する撮像装置を提供することを目的とする。
【課題を解決するための手段】
【０００７】
本発明の一側面としての撮像装置は、撮影の際に被写体を照らす本発光動作と前記本発光動作に先立って前記被写体を照らすプリ発光動作を実行可能な撮像装置であって、ミラーダウン位置とミラーアップ位置との間を回動するミラー部材と、前記ミラー部材の駆動速度を設定するミラー駆動速度設定手段と、前記プリ発光動作を実行するかどうかを判定するプリ発光動作判定手段と、を有し、前記プリ発光動作判定手段で前記プリ発光動作を実行しないと判定される場合に前記ミラー駆動速度設定手段は第１の速度で前記ミラー部材を駆動するように設定し、前記プリ発光動作判定手段で前記プリ発光動作を実行すると判定される場合に前記ミラー駆動速度設定手段は前記第１の速度より高速な第２の速度で前記ミラー部材を駆動するように設定することを特徴とする。
【発明の効果】
【０００８】
本発明によれば、プリ発光動作を実行した場合において、目つぶり写真の発生を防止することができる。
【図面の簡単な説明】
【０００９】
【図１】本発明の実施形態に係るカメラシステムの構成図である。
【図２】カメラシステムの回路構成を示すブロック図である。
【図３】レリーズ処理を行うルーチンを示すフローチャートである。
【図４】実施例１のフラッシュ撮影モード判定のサブルーチンを示すフローチャートである。
【図５】撮影処理についてのサブルーチンを示すフローチャートである。
【図６】プリ発光処理についてのサブルーチンを示すフローチャートである。
【図７】ミラー駆動速度の設定変更についてのフローチャートである。
【図８】実施例２のフラッシュ撮影モード判定のサブルーチンを示すフローチャートである。
【図９】被写体認識処理を示すフローチャートである。
【発明を実施するための形態】
【００１０】
以下、本発明の実施例について、図面を参照しながら詳細に説明する。各図において、同一の部材については同一の参照番号を付し、重複する説明は省略する。
【実施例１】
【００１１】
図１は、本発明の実施形態に係るカメラシステムの構成図である。カメラシステムは、撮像装置１０と、撮像装置１０に対して着脱可能な交換レンズ２０および外部フラッシュユニット４０を有する。撮像装置１０は、撮影の際に被写体を照らす本発光動作と本発光動作に先立って被写体を照らすプリ発光動作を実行可能な撮像装置である。
【００１２】
レンズマイクロプロセッサ２０１は、交換レンズ２０の各種動作の制御を司り、通信接点を介して、撮像装置１０の各種動作の制御を司るカメラマイクロプロセッサ１０１と通信を行う。撮影光学系２０２は、図中にレンズを１枚しか記載していないが、実際には複数枚のレンズにより構成されている。絞り２０３は光量調節を行う。
【００１３】
撮影光学系２０２および絞り２０３を透過した光束は、撮像装置１０のメインミラー（ミラー部材）１０２に入射する。メインミラー１０２は、ハーフミラーとなっており、不図示のミラーボックス内において、撮影光学系２０２からの撮影光路内となるミラーダウン位置と撮影光路外となるミラーアップ位置との間を回動可能に軸支されている。
【００１４】
図１に示されるように、メインミラー１０２がミラーダウン位置に位置するとき、メインミラー１０２を透過した光束はサブミラー１０３により下方へ反射され、焦点検出ユニット１０４へと導かれる。メインミラー１０２とサブミラー１０３とによって光路分割光学系が構成される。
【００１５】
焦点検出ユニット１０４は、少なくとも一対の画素列（ラインセンサ）を有し、該一対のラインセンサは撮影光学系２０２からの光束によって形成された一対の像を光電変換して信号を出力する。
【００１６】
メインミラー１０２により反射された光束は、ファインダスクリーン１０５に被写体像を結像する。使用者は、正立正像光学系１０７および接眼レンズ１０８を介してファインダスクリーン１０５上の被写体像を観察することができる。ファインダ表示ユニット１０６は、光学ファインダを覗いた観察者に対して各種情報を表示する。ファインダスクリーン１０５、ファインダ表示ユニット１０６、正立正像光学系１０７および接眼レンズ１０８によって、ファインダ光学系を構成している。
【００１７】
測光センサ１０９は被写体輝度を測定し、測光レンズ１１０は測光センサ１０９に被写体からの光束を結像させる。
【００１８】
サブミラー１０３の後方には、フォーカルプレーンシャッタ１１１、ローパスフィルタ１１２、撮像素子１１３が配置されている。撮像素子１１３はＣＣＤセンサやＣＭＯＳセンサ等により構成され、フォーカルプレーンシャッタ１１１は撮像素子１１３の露光を制御する。
【００１９】
内蔵フラッシュ（内蔵発光ユニット）１１４は、後述する外部フラッシュユニット４０の未装着時に被写体を撮像時に照明するのみでなく、焦点検出時に被写体を照射する補助光としても使用されるフラッシュ手段である。フレネルレンズ１１５は、内蔵フラッシュユニット１１４に設けられている。
【００２０】
アクセサリシュー１１６は外部フラッシュユニット４０等を装着するために用いられる。
【００２１】
外部表示ユニット１１７は、撮像装置１０の外面に設けられており、電子ビューファインダ（ＥＶＦ）として機能する
外部フラッシュユニット（外付け発光ユニット）４０は、装着部材４０５によって、撮像装置１０のアクセサリシュー１１６に装着されたフラッシュ手段である。フラッシュマイクロプロセッサ４０１は、外部フラッシュユニット４０の動作を制御する。放電発光管で４０２はキセノン管等で構成されており、反射傘４０３は放電発光管４０２から発せられた光束を被写体に向けて反射する。フラッシュパネル４０４は、反射傘４０３で反射された光束の配光を制御する。
【００２２】
本実施形態では、撮像装置１０（カメラマイクロプロセッサ１０１）は、交換レンズ２０（レンズマイクロプロセッサ２０１）および外部フラッシュユニット４０（フラッシュマイクロプロセッサ４０１）と通信を行う。これにより、撮像装置１０は、交換レンズ２０および外部フラッシュユニット４０が保有する情報を使用して制御を行う。
【００２３】
図２は、カメラシステムの各部（撮像装置１０、交換レンズ２０、および外部フラッシュユニット４０）の回路構成を示すブロック図である。
【００２４】
モータ駆動回路１００１は、撮像装置１０の可動部分の駆動を行う。
【００２５】
測光部１００２は測光センサ１０９に含まれ、被写体の輝度を測定する。
【００２６】
焦点検出部１００３は、焦点検出ユニット１０４に含まれ、交換レンズ２０の焦点状態を検出する。
【００２７】
ミラー駆動速度設定部（ミラー駆動速度設定手段）１００４は、ミラー部材のミラー駆動速度を設定する。また、ミラー駆動速度設定部は、例えば、撮像装置１０に装着される外部フラッシュユニット４０の種類に応じて、ミラー駆動速度の設定値を変更可能である。
【００２８】
シャッタ制御回路１００５は、フォーカルプレーンシャッタ１１１に含まれ、撮像装置１０の露光量の制御を行う。
【００２９】
絞り制御回路１００６は、撮像装置１０に取り込む光束を制御し、撮影光学系２０２を制御する。
【００３０】
表示装置１００７は、ファインダ表示ユニット１０６および外部表示ユニット１１７を含み、撮像装置１０の状態を表示する。
【００３１】
フラッシュ制御回路１００８は、内蔵フラッシュユニット１１４を制御する。
【００３２】
記録回路１００９は撮像装置１０の設定状態を格納し、撮像回路１０１０は撮像処理を行う。
【００３３】
レンズ通信回路１０１１は撮像装置１０に装着される交換レンズ２０と通信を行い、通信回路１０１２は交換レンズ２０以外のアクセサリと通信する。
【００３４】
スイッチ（ＳＷ１）１０１３がオンすることで撮像準備動作を開始し、スイッチ（ＳＷ２）１０１４がオンすることで撮像を開始する。
【００３５】
記憶回路２００１は交換レンズ２０の設定値を保持し、レンズ駆動回路２００２は交換レンズ２０の駆動を行う。
【００３６】
レンズ位置検出回路２００３は交換レンズ２０の位置検出を行い、レンズ焦点距離検出回路２００４は交換レンズ２０の設定されている焦点距離を検出する。
【００３７】
絞り駆動回路２００５は、絞り２０３に含まれ、絞り２０３を駆動する。
【００３８】
附属品検知回路２００６、附属品検知スイッチ２００７は、交換レンズ２０に装着されている付属品を検知する。
【００３９】
レンズ通信回路２００８は、撮像装置１０および交換レンズ２０に装着される付属品との通信を行う。本実施形態において、レンズ通信回路２００８は、撮像装置１０からの制御命令を通信するとともに、交換レンズ２０に保持されている形状情報、交換レンズ２０に装着されている付属品情報、およびレンズ設定値なども通信する。
【００４０】
通信回路４００１は撮像装置１０との通信を行い、記憶回路４００２は外部フラッシュユニット４０の設定値を保持する。
【００４１】
照射角変更部４００３は、外部フラッシュユニット４０が装着されている撮像装置１０および交換レンズ２０の状態に合わせてフラッシュ照射範囲を変更する。
【００４２】
フラッシュ照射角検出部４００４は、フラッシュ照射範囲の設定値を検出する。
【００４３】
発光量モニタ部４００５は、外部フラッシュユニット４０の発光量を直接モニタする。
【００４４】
赤外補助光部４００６は、外部フラッシュユニット４０に内蔵されている。
【００４５】
設定部４００７は外部フラッシュユニット４０の状態設定を行い、表示部４００８は外部フラッシュユニット４０の設定状態を表示する。
【００４６】
発光量制御回路は４００９はフラッシュ発光量の制御を行い、フラッシュ充電回路４０１０はフラッシュ充電を行う。
【００４７】
本実施形態において、通信回路４００１は外部フラッシュユニット４０の設定情報および制御情報を通信するように構成されており、撮像装置１０からの指示に基づき赤外補助光部４００６より赤外光が投光されるように構成されている。
【００４８】
次に、図３〜図７のフローチャートを参照して、撮像装置１０の制御について説明する。
【００４９】
図３は、レリーズ処理を行うルーチンを示すフローチャートである。
【００５０】
レリーズの判定が開始されると、ステップ１０００（以下、Ｓ１０００と示す）において、レリーズスイッチがＯＮ状態であるか、ＯＦＦ状態であるか判定を行う。レリーズスイッチがＯＮ状態であると判定された場合には、Ｓ１０１０に移行する。レリーズスイッチがＯＦＦ状態であると判定された場合には、メインルーチンに復帰し、スタンバイ状態となる。
【００５１】
Ｓ１０１０において、撮像装置１０の撮影モードの判定を行う。撮像装置１０が通常撮影モードに設定されていると判定された場合には、Ｓ１０２０に移行する。撮像装置がライブビュー（ＬＶ）モードに設定されていると判定された場合には、後述するＳ１１００に移行する。
【００５２】
Ｓ１０２０において、撮像装置１０がフラッシュ撮影を行うように設定されているか否かの判定を行う。フラッシュ撮影を行うように設定されていると判定された場合には、Ｓ１０３０に移行する。フラッシュ撮影を行うように設定されていないと判定された場合には、Ｓ１０７０に移行する。
【００５３】
Ｓ１０３０において、後述するフラッシュ撮影モード判定サブルーチンを実行し、Ｓ１０４０に移行する。
【００５４】
Ｓ１０４０において、後述する撮影処理についてのサブルーチンを実行し、Ｓ１０５０に移行する。
【００５５】
Ｓ１０５０において、撮像装置１０が連写モードに設定されているか否かの判定を行う。単写モードに設定されていると判定された場合には、撮像を終了してメインルーチンに復帰し、スタンバイ状態となる。連写モードに設定されていると判定された場合には、Ｓ１０６０に移行する。
【００５６】
Ｓ１０６０において、レリーズスイッチの状態がＯＮ状態を継続しているか、ＯＦＦ状態になっているかの判定を行う。レリーズスイッチの状態がＯＮ状態を継続していると判定された場合には、Ｓ１０４０に復帰して撮像処理を開始する。レリーズスイッチの状態がＯＦＦ状態に変化していると判定された場合には、メインルーチンに復帰し、スタンバイ状態となる。
【００５７】
Ｓ１０７０において、撮像装置１０がサイレントモードに設定されているか否かの判定を行う。撮像装置１０がサイレントモードに設定されていると判定された場合には、Ｓ１０８０に移行する。撮像装置１０がサイレントモードに設定されていないと判定された場合には、Ｓ１０９０に移行する。
【００５８】
Ｓ１０８０において、ミラー部材のミラー駆動速度を第一の低速ミラー駆動速度に設定し、Ｓ１０４０に移行して撮影処理についてのサブルーチンを実行する。
【００５９】
Ｓ１０９０において、ミラー部材のミラー駆動速度を通常の撮影モードで使用する高速ミラー駆動速度に設定し、Ｓ１０４０に移行して撮影処理についてのサブルーチンを実行する。
【００６０】
ここで、ミラー駆動速度の変更は、例えば、特許文献１に示すように、ミラーを低速で駆動するときには、低速駆動用の駆動信号がモータに対して出力され、ミラーが低速駆動する。モータに対して出力される信号は、ＰＷＭ（Ｐｕｌｓｅ  Ｗｉｄｔｈ  Ｍｏｄｕｌａｔｉｏｎ）制御で、例えば、デューティ比を５０％や３０％に変化させることで、モータの駆動速度が変化させられ、結果として、ミラー駆動速度が変化する。
【００６１】
次に、Ｓ１０１０において、撮像装置１０の撮影モードがライブビューモードに設定されていると判定された場合のフローについて説明する。
【００６２】
Ｓ１１００において、撮像装置１０がフラッシュ撮影を行うように設定されているか否かの判定を行う。フラッシュ撮影を行うように設定されていると判定された場合には、Ｓ１１１０に移行する。フラッシュ撮影を行うように設定されていないと判定された場合には、Ｓ１２００に移行する。
【００６３】
Ｓ１１１０において、後述するフラッシュ撮影モード判定のサブルーチンを実行し、Ｓ１１２０に移行する。
【００６４】
Ｓ１１２０において、撮像装置１０がサイレントモードに設定されているか否かの判定を行う。撮像装置１０がサイレントモードに設定されていると判定された場合には、Ｓ１１２５に移行する。撮像装置１０がサイレントモードに設定されていないと判定された場合には、Ｓ１１２６に移行する。
【００６５】
Ｓ１１２５において、第一の低速ミラー駆動速度でミラーダウン駆動を行い、Ｓ１１３０に移行する。
【００６６】
Ｓ１１２６において、高速ミラー駆動速度でミラーダウン駆動を行い、Ｓ１１３０に移行する。
【００６７】
Ｓ１１３０において、後述する撮影処理についてのサブルーチンを実行し、次のＳ１１４０に移行する。
【００６８】
Ｓ１１４０において、撮像装置が連写モードに設定されているか否かの判定を行う。単写モードに設定されていると判定された場合には、Ｓ１１６０に移行する。連写モードに設定されていると判定された場合には、Ｓ１１５０に移行する。
【００６９】
Ｓ１１５０において、レリーズスイッチの状態がＯＮ状態を継続しているか、ＯＦＦ状態になっているかの判定を行う。レリーズスイッチの状態がＯＮ状態を継続していると判定された場合には、Ｓ１１３０に復帰して撮像処理を開始する。レリーズスイッチの状態がＯＦＦ状態に変化していると判定された場合には、Ｓ１１６０に移行する。
【００７０】
Ｓ１１６０において、設定されているミラー駆動速度でミラーアップ駆動を行い、Ｓ１１７０に移行する。
【００７１】
Ｓ１１７０において、ライブビュー表示を起動して、メインルーチンに復帰しスタンバイ状態となる。
【００７２】
Ｓ１２００において、撮像装置がサイレントモードに設定されているか否かの判定を行う。撮像装置１０がサイレントモードに設定されていると判定された場合には、Ｓ１３００に移行する。撮像装置がサイレントモードに設定されていないと判定された場合には、Ｓ１２０５に移行する。
【００７３】
Ｓ１２０５において、ミラー部材のミラー駆動速度を高速ミラー駆動速度に設定し、Ｓ１２１０に移行する。
【００７４】
Ｓ１２１０において、撮像素子１１３にて被写体像を取得する撮像処理を実行し、Ｓ１２２０に移行する。
【００７５】
Ｓ１２２０において、高速ミラー駆動速度でミラーダウン駆動を行い、Ｓ１２３０に移行する。
【００７６】
Ｓ１２３０において、撮像装置１０が連写モードに設定されているか否かの判定を行う。単写モードに設定されていると判定された場合には、Ｓ１１６０に移行する。連写モードに設定されていると判定された場合には、Ｓ１２４０に移行する。
【００７７】
Ｓ１２４０において、レリーズスイッチの状態がＯＮ状態を継続しているか、ＯＦＦ状態になっているかの判定を行う。レリーズスイッチの状態がＯＮ状態を継続していると判定された場合には、Ｓ１２５０に移行する。レリーズスイッチの状態がＯＦＦ状態に変化していると判定された場合には、Ｓ１１６０に移行する。
【００７８】
Ｓ１２５０において、高速ミラー駆動速度でミラーアップ駆動を行い、Ｓ１２１０に復帰する。
【００７９】
Ｓ１３００において、撮像素子１１３にて被写体像を取得する撮像処理を実行し、Ｓ１３１０に移行する。
【００８０】
Ｓ１３１０において、次の撮影に向けて撮影準備処理を実行し、Ｓ１３２０に移行する。
【００８１】
Ｓ１３２０において、撮像装置１０が連写モードに設定されているか否かの判定を行う。単写モードに設定されていると判定された場合には、Ｓ１１７０に移行する。連写モードに設定されていると判定された場合には、Ｓ１３３０に移行する。
【００８２】
Ｓ１３３０において、レリーズスイッチの状態がＯＮ状態を継続しているか、ＯＦＦ状態になっているかの判定を行う。レリーズスイッチの状態がＯＮ状態を継続していると判定された場合には、Ｓ１３００に移行する。レリーズスイッチの状態がＯＦＦ状態に変化していると判定された場合には、Ｓ１１７０に移行する。
【００８３】
図４は、フラッシュ撮影モード判定のサブルーチンを示すフローチャートである。
【００８４】
現在、フラッシユ手段の制御として、複数の制御方法が存在している。発光動作で分けた場合、実際の撮影時のみ発光するタイプと、本発光動作に先立って本発光時の発光量を決定するためのプリ発光動作を実施するタイプがある。そこで、本実施形態では、以下の判別動作を実施する。
【００８５】
フラッシュ撮影モード判定を開始すると、Ｓ１５００において、撮像装置１０がサイレントモードに設定されているか否かの判定を行う。サイレントモードであると判定された場合には、Ｓ１５１０に移行する。サイレントモードでないと判定された場合には、Ｓ１５４０に移行する。
【００８６】
Ｓ１５１０において、カメラマイクロプロセッサ１０１（プリ発光動作判定手段）が本発光動作に先立って前記プリ発光動作を行うか否かの判定を行う。カメラマイクロプロセッサ１０１が本発光動作に先立って前記プリ発光動作を行うと判定された場合には、Ｓ１５３０に移行する。カメラマイクロプロセッサ１０１が本発光動作のみ行い、プリ発光動作を行わないと判定された場合には、Ｓ１５２０に移行する。
【００８７】
Ｓ１５２０において、ミラー部材のミラー駆動速度を第一の低速ミラー駆動速度に設定し、元のルーチンに復帰する。
【００８８】
Ｓ１５３０において、ミラー部材のミラー駆動速度を第二の低速ミラー駆動速度に設定し、元のルーチンに復帰する。
【００８９】
Ｓ１５４０において、ミラー部材のミラー駆動速度を高速ミラー駆動速度に設定し、元のルーチンに復帰する。
【００９０】
ミラー駆動速度は、以下のような関係を持っている。
【００９１】
第一の低速ミラー駆動速度  ＜  第二の低速ミラー駆動速度  ＜  高速ミラー駆動速度
上記関係にて駆動を行うことにより、通常の撮影モードではミラー消失時間、レリーズタイムラグを短縮した撮影を行うことができ、サイレントモードではミラーの衝撃をなくした撮影を行うことができる。また、サイレントモードでフラッシュ手段によるプリ発光が行われて撮影を行う場合、ミラーの衝撃を低減しつつも被写体の目つぶりを防止することができる。
【００９２】
図５は、撮影処理についてのサブルーチンを示すフローチャートである。
【００９３】
撮影処理が開始されると、Ｓ１６００において、今回の撮影処理ではプリ発光処理を行うか否かの判定を行う。プリ発光処理を行うと判定された場合には、Ｓ１６１０に移行する。プリ発光処理を行わないと判定された場合には、Ｓ１６２０に移行する。
【００９４】
Ｓ１６１０において、後述するプリ発光処理についてのサブルーチンを実行し、Ｓ１６２０に移行する。
【００９５】
Ｓ１６２０において、設定されているミラー駆動速度でミラーアップ駆動を行い、Ｓ１６３０に移行する。
【００９６】
Ｓ１６３０において、撮像素子１１３にて被写体像を取得する撮像処理を実施し、Ｓ１６４０に移行する。
【００９７】
Ｓ１６４０において、撮像装置１０がサイレントモードに設定されているか否かの判定を行う。撮像装置１０がサイレントモードに設定されていると判定された場合には、Ｓ１６５０に移行する。撮像装置１０がサイレントモードに設定されていないと判定された場合には、Ｓ１６６０に移行する。
【００９８】
Ｓ１６５０において、第一の低速ミラー駆動速度でミラーダウン駆動を行い、元のルーチンに復帰する。
【００９９】
Ｓ１６６０において、高速ミラー駆動速度でミラーダウン駆動を行い、元のルーチンに復帰する。
【０１００】
図６は、プリ発光処理についてのサブルーチンを示すフローチャートである。
【０１０１】
プリ発光処理が開始されると、Ｓ１７００において、直前の定常光測光値が取得されているか否かの判定を行っている。直前の定常光測光値が取得されていると判定された場合には、Ｓ１７２０に移行する。直前の定常光測光値が取得されていないと判定された場合には、Ｓ１７１０に移行する。
【０１０２】
Ｓ１７１０において、測光部１００２によって定常光の測光処理が実施され、Ｓ１７２０に移行する。
【０１０３】
Ｓ１７２０において、プリ発光動作が実施され、発光時のプリ発光測光値を取得し、Ｓ１７３０に移行する。
【０１０４】
Ｓ１７３０において、定常光測光値とプリ発光測光値を比較して差分演算を行い、元のルーチンに復帰する。
【０１０５】
図７は、ミラー駆動速度の設定変更についてのフローチャートである。
【０１０６】
撮像装置１０がミラー駆動速度の設定モードに設定されると、Ｓ１８００において、撮像装置１０に設定されているミラー駆動速度の設定値を読み込み、Ｓ１８１０に移行する。
【０１０７】
Ｓ１８１０において、現在の設定値を表示装置１００７に表示し、Ｓ１８２０に移行する。
【０１０８】
Ｓ１８２０では、ミラー駆動速度の設定値が変更可能である。変更する場合としては、例えば、撮像装置１０に装着される外部フラッシュユニット４０の種類が変更になった場合等がある。Ｓ１８２０において、設定値の変更が入力されたか否かの判定を行う。設定値が入力されたと判定された場合には、Ｓ１８３０に移行する。設定値が入力されていないと判定された場合には、Ｓ１８５０に移行する。
【０１０９】
Ｓ１８３０において、更新された設定値を表示装置１００７に表示し、Ｓ１８４０に移行する。
【０１１０】
Ｓ１８４０において、更新された設定値を記録回路１００９に保存し、Ｓ１８５０に移行する。
【０１１１】
Ｓ１８５０において、設定モード終了の操作がされたか否かの判定を行う。設定モード終了の操作がされたと判定された場合には、メインルーチンへ復帰する。設定モード終了の操作がされていないと判定された場合には、Ｓ１８２０に復帰する。
【実施例２】
【０１１２】
本実施例は、フラッシュ撮影モード判定において、被写体認識処理を行う。図８、９を参照して、被写体認識処理を行う場合のフラッシュ撮影モードについて説明する。レリーズ処理、撮影処理、およびプリ発光処理についてのサブルーチンは、実施例１と同一であるので説明を省略する。
【０１１３】
実施例２の撮像装置１０は、図２で示された回路構成に加え、被写体認識回路（被写体認識部）、距離算出回路（距離算出手段）、距離判定回路（距離判定手段）を有する。
【０１１４】
被写体認識回路は、被写体認識処理を行う。被写体認識回路は、被写体認識処理モードとして、被写体の選択モードが近くにいる被写体を優先するモードと、あらかじめ登録した登録被写体を優先して選択するモードを有する。また、被写体認識回路は、被写体が人物であるかもしくはその他の風景や物体等であるかを認識可能である。
【０１１５】
距離算出回路は、撮像装置１０と被写体との距離（被写体距離）を算出可能である。
【０１１６】
距離判定回路は、後述するように、距離算出回路によって算出された被写体距離が所定値以下であるかを判定する。
【０１１７】
図８は、フラッシュ撮影モード判定のサブルーチンを示すフローチャートである。
【０１１８】
フラッシュ撮影モード判定を開始すると、Ｓ１９００において、撮像装置１０がサイレントモードに設定されているか否かの判定を行う。サイレントモードであると判定された場合には、Ｓ１９１０に移行する。サイレントモードでないと判定された場合には、Ｓ１９４０に移行する。
【０１１９】
Ｓ１９１０において、フラッシュ手段が本発光前にプリ発光動作を行うか否かの判定を行う。フラッシュ手段が本発光前にプリ発光動作を行うと判定された場合には、Ｓ１９３０に移行する。フラッシュ手段が本発光動作のみ行い、プリ発光動作を行わないと判定された場合には、Ｓ１９２０に移行する。
【０１２０】
Ｓ１９２０において、ミラー部材のミラー駆動速度を第一の低速ミラー駆動速度に設定し、元のルーチンに復帰する。
【０１２１】
Ｓ１９３０において、被写体認識処理を実行し、元のルーチンに復帰する。
【０１２２】
Ｓ１９４０において、ミラー部材のミラー駆動速度を高速ミラー駆動速度に設定し、元のルーチンに復帰する。
【０１２３】
図９は、被写体認識処理を示すフローチャートである。
【０１２４】
被写体認識処理が開始されると、Ｓ２０００において、撮像装置１０の撮影モードの判定を行う。撮像装置１０が通常撮影モードに設定されていると判定された場合には、Ｓ２０１０に移行する。撮像装置１０がライブビューモードに設定されていると判定された場合には、Ｓ２０２０に移行する。
【０１２５】
Ｓ２０１０において、測光部１００２から画像情報を取得してＳ２０３０に移行する。ここで、本実施例では、測光部から画像を取得しているが、ファインダ光学系の光束を分割して、ファインダ光学系に配置した撮像手段にて画像を取得してもよい。
【０１２６】
Ｓ２０２０において、撮像素子１１３から画像情報を取得してＳ２０３０に移行する。
【０１２７】
Ｓ２０３０において、Ｓ２０１０あるいはＳ２０２０にて取得した画像情報を用いて、被写体認識回路にて被写体認識処理を行い、Ｓ２０４０に移行する。
【０１２８】
Ｓ２０４０において、被写体認識回路の被写体の選択モードがどのモードに設定されているか判定を行う。被写体の選択モードが近くにいる被写体を優先するモードであると判定された場合には、Ｓ２０５０に移行する。被写体の選択モードが撮像装置１０にあらかじめ登録した登録被写体を優先して選択するモードであると判定された場合には、Ｓ２０６０に移行する。
【０１２９】
Ｓ２０５０において、被写体認識処理にて抽出された被写体の中で、撮像装置１０に対して近い位置に存在している被写体を選択し、Ｓ２０７０に移行する。
【０１３０】
Ｓ２０６０において、被写体認識処理にて抽出された被写体の中で、撮像装置１０に登録されている被写体に一致する被写体を選択し、Ｓ２０７０に移行する。
【０１３１】
Ｓ２０７０において、認識された被写体が人物であるか否かの判定を行う。認識された被写体が人物であると判定された場合には、Ｓ２０８０に移行する。認識された被写体が人物でないと判定された場合には、Ｓ２１２０に移行する。
【０１３２】
Ｓ２０８０において、レンズの現在の停止位置を検出し、Ｓ２０９０に移行する。
【０１３３】
Ｓ２０９０において、距離算出回路によって認識された被写体までの距離算出処理を実行し、Ｓ２１００に移行する。
【０１３４】
Ｓ２１００において、距離判定回路によって被写体までの距離が所定値以下であるか否かの判定を行う。被写体までの距離が所定値以下であると判定された場合には、Ｓ２１１０に移行する。被写体までの距離が所定値よりも大きいと判定された場合には、Ｓ２１２０に移行する。
【０１３５】
Ｓ２１１０において、ミラー部材のミラー駆動速度を第二の低速ミラー駆動速度に設定し、元のルーチンに復帰する。
【０１３６】
Ｓ２１２０において、ミラー部材のミラー駆動速度を高速ミラー駆動速度に設定し、元のルーチンに復帰する。
【０１３７】
本実施例では、被写体を認識し、さらに、被写体距離を判定することで、サイレントモードでフラッシュ手段によるプリ発光が行われて撮影を行う場合において、目つぶりが発生しない条件の場合には、ミラー部材を第一の低速ミラー駆動速度で駆動する。そのため、サイレントモードの効果を高めた状態で撮影することが可能となる。
【０１３８】
以上、説明したように、本実施形態では、撮像装置のサイレントモードでフラッシュ手段によるプリ発光が行われて撮影を行った場合でも、被写体の目つぶりを防止することができる。また、フラッシュ手段が変更した場合であっても、フラッシュ手段に応じた速度を設定することで、プリ発光による被写体の目つぶりを防止することができる。
【０１３９】
なお、本実施形態では、フラッシュ手段の発光モードに応じて、ミラー部材のミラー駆動速度を変更するフロー説明してきたが、フラッシュ手段の発光モードに応じて、ミラー部材のミラー駆動速度を変更できる構成ならば、上記フロー以外で実施してもよい。
【０１４０】
以上、本発明の好ましい実施形態について説明したが、本発明はこれらの実施形態に限定されず、その要旨の範囲内で種々の変形及び変更が可能である。
【符号の説明】
【０１４１】
１０１  カメラマイクロプロセッサ（プリ発光動作判定手段）
１０２  メインミラー
１１４  内蔵フラッシュ
１００４  ミラー駆動速度設定部（ミラー駆動速度設定手段）
【図１】
2014228642.tif 000003
【図２】
2014228642.tif 000004
【図３】
2014228642.tif 000005
【図４】
2014228642.tif 000006
【図５】
2014228642.tif 000007
【図６】
2014228642.tif 000008
【図７】
2014228642.tif 000009
【図８】
2014228642.tif 000010
【図９】
2014228642.tif 000011